(57)【要約】【課題】  圧入状態等で筆記具部材に負荷がかかる場合であっても、長期使用によるクラックが発生し難い筆記具を提供する。【解決手段】  少なくとも一端を開口する筒状樹脂部材１と、前記筒状樹脂部材１の開口部に圧入される嵌入部材２とを備えた筆記具であって、前記筒状樹脂部材１がポリカーボネートとポリエチレンテレフタレートを混合した樹脂で構成される。少なくとも一端を開口する筒状樹脂部材１と、前記筒状樹脂部材１の開口部に圧入される嵌入部材である頭冠２と、前記筒状樹脂部材１と頭冠２により係止される金属製クリップ３とを備え、前記クリップ３がクリップ本体３１と脚部３３からなり、脚部３３が筒状樹脂部材１内面と頭冠２外面との間で径方向に挟持される筆記具であって、前記筒状樹脂部材がポリカーボネートとポリエチレンテレフタレートを混合した樹脂で構成される。【選択図】  図１
2008273021.tif 000002
【特許請求の範囲】
【請求項１】
少なくとも一端を開口する筒状樹脂部材と、前記筒状樹脂部材の開口部に圧入される嵌入部材とを備えた筆記具であって、前記筒状樹脂部材がポリカーボネートとポリエチレンテレフタレートを混合した樹脂で構成されることを特徴とする筆記具。
【請求項２】
前記筒状樹脂部材又は嵌入部材が、クリップ又はクリップ取付部を一体に備えてなることを特徴とする請求項１記載の筆記具。
【請求項３】
少なくとも一端を開口する筒状樹脂部材と、前記筒状樹脂部材の開口部に圧入される嵌入部材である頭冠と、前記筒状樹脂部材と頭冠により係止される金属製クリップとを備え、前記クリップがクリップ本体と脚部からなり、脚部が筒状樹脂部材内面と頭冠外面との間で径方向に挟持される筆記具であって、前記筒状樹脂部材がポリカーボネートとポリエチレンテレフタレートを混合した樹脂で構成されることを特徴とする筆記具。
【請求項４】
前記嵌入部材がポリカーボネート樹脂又はＡＢＳ樹脂により構成されることを特徴とする請求項１乃至３のいずれかに記載の筆記具。
【請求項５】
前記ポリカーボネートとポリエチレンテレフタレートが、９０：１０〜６０：４０の割合で配合されることを特徴とする請求項１乃至４のいずれかに記載の筆記具。
【発明の詳細な説明】
【技術分野】
【０００１】
本発明は、筆記具に関する。詳細には、筒状部材（例えば、軸筒やキャップ等）と嵌入部材（例えば、把持部材や頭冠等）を備えた筆記具に関する。
【背景技術】
【０００２】
従来、筆記具に用いられる二部材を圧入嵌合により連結する技術が開示されている（例えば特許文献１参照）。
前記筆記具部材は、ポリカーボネート樹脂からなるキャップ本体にポリスチロール樹脂製頭冠が圧入嵌合されるものであり、頭冠の圧入部にトルエンとジクロロエタンの混合液を塗布することで軟化させて容易に圧入できるものである。
【特許文献１】特開２０００−４３４６６号公報
【０００３】
前記キャップ本体に用いられるポリカーボネート樹脂は軽量で透明度が高く、耐衝撃性、耐熱性に優れているため筆記具部材に広く適用されているが耐油性が乏しいため、前記圧入状態で長期間使用する場合、薬品や手脂等の付着により圧入箇所にクラックを生じることがある。
特に、クリップ近傍に形成される圧入嵌合部分においては、ポケット等に差して保管する筆記具を使用時に取り出す際に頻繁に触るため、短期間でクラックを生じることがある。また、キャップ本体と頭冠でクリップ部材を挟持する場合には、クリップ部材の回転やガタツキを抑制するためにキャップ本体と頭冠との嵌合力を高める必要があるので、より短い期間でクラックを生じる虞がある。
【発明の開示】
【発明が解決しようとする課題】
【０００４】
本発明は、前記問題を解決するものであって、圧入状態等で筆記具部材に負荷がかかる場合であっても、長期使用によるクラックが発生し難い筆記具を提供しようとするものである。
尚、本発明において、「上」とは頭冠（嵌入部材）圧入側を指し、「下」とはその反対側を指す。
【課題を解決するための手段】
【０００５】
本発明は、少なくとも一端を開口する筒状樹脂部材と、前記筒状樹脂部材の開口部に圧入される嵌入部材とを備えた筆記具であって、前記筒状樹脂部材がポリカーボネートとポリエチレンテレフタレートを混合した樹脂で構成されることを要件とする。
更に、前記筒状樹脂部材又は嵌入部材が、クリップ又はクリップ取付部を一体に備えてなることを要件とする。
更に、少なくとも一端を開口する筒状樹脂部材と、前記筒状樹脂部材の開口部に圧入される嵌入部材である頭冠と、前記筒状樹脂部材と頭冠により係止される金属製クリップ（本願請求項３においてはクリップ全体や樹脂製クリップ本体を取り付けたクリップ取付部材が金属製であるものを示す）とを備え、前記クリップがクリップ本体と脚部からなり、脚部が筒状樹脂部材内面と頭冠外面との間で径方向に挟持される筆記具であって、前記筒状樹脂部材がポリカーボネートとポリエチレンテレフタレートを混合した樹脂で構成されることを要件とする。
更には、前記嵌入部材がポリカーボネート樹脂又はＡＢＳ樹脂により構成されること、前記ポリカーボネートとポリエチレンテレフタレートが、９０：１０〜６０：４０の割合で配合されることを要件とする。
【発明の効果】
【０００６】
本発明は請求項１により、圧入状態で長期間使用した場合であっても、薬品や手脂等の付着により圧入箇所にクラックを生じる虞がない。
【０００７】
請求項２により、クリップ近傍で顕著に発生するクラックを抑制できる。
【０００８】
請求項３により、嵌合力を高めた状態であってもクラックが発生する虞がなく、クリップ部材の回転やガタツキを確実に抑制できる。
【０００９】
請求項４により、頭冠等の嵌入部材の圧入箇所が変形することなく圧入状態を長期間維持できるので、クリップ部材の回転やガタツキをより確実に抑制できる。
【００１０】
請求項５により、筆記具としての強度を充分に備えた状態で、クラックがより生じ難いものとなる。
【発明を実施するための最良の形態】
【００１１】
本発明の筆記具を構成する筒状樹脂部材は、少なくとも一端を開口し、該開口部に嵌入部材を圧入して連結されるものであり、具体的には、キャップ本体、首体、グリップ、軸筒等の形態で使用されるため、ユーザーが触れる外装部分に適用される。
前記筒状樹脂部材をポリカーボネートとポリエチレンテレフタレートを混合した樹脂で構成することで、使用により薬品や手脂等が圧入箇所に付着した状態を長期間継続しても、クラックが生じ難いものとなる。特に、筒状樹脂部材の圧入箇所やその近傍にゲート跡やウェルド等が形成される場合には、より高い効果を発現する。
【００１２】
嵌入部材は、前記筒状樹脂部材の開口部に圧入して連結されるものであり、具体的には、頭冠、クリップ、尾栓、ペン芯、ペン先ホルダー等の形態で使用される。
前記嵌入部材を構成する材質は、汎用の樹脂や金属等をいずれも使用できるが、圧入箇所の嵌合力を高く設定する場合には、ポリカーボネート樹脂やＡＢＳ（アクリロニトリル−ブタジエン−スチレン）樹脂により構成することが好ましい。これにより長期経時後も圧入部分が変形し難いものとなるため、嵌合部分のガタツキや抜けが生じ難いものとなる。
【００１３】
特に、前記筒状樹脂部材や嵌入部材がクリップやクリップ取付部を一体に備えている場合、筆記具の保管時にポケットに差し込むときや、使用時にポケットから取り出すときに圧入部分（クリップの付根やクリップ取付部近傍の外面部分）を頻繁に触るため、短期間でクラックが生じ易くなる。そのため、ユーザーが接触する外側表面となる筒状樹脂部材をポリカーボネートとポリエチレンテレフタレートを混合した樹脂で構成することが有用となる。
【００１４】
また、クリップ本体と脚部を備えたクリップを用いる場合、前記脚部を筒状樹脂部材内面と頭冠の圧入部外面との間で径方向に挟持することで固定するため、クリップ部材の回転やガタツキを抑制することを目的に圧入箇所の嵌合力を高く設定する必要がある。特に、前記クリップ全体やクリップ取付部材（クリップ本体を樹脂製とした際に脚部となる部材）が金属製である場合（更には前記脚部に曲面を有する場合）、樹脂部材間で挟持される部分をより強固に挟持・固定する必要があるため、より高い嵌合力に設定される。
そのため、前述のクリップ近傍の外側表面（筒状樹脂部材でユーザーが頻繁に接触する箇所）に短期間でクラックが生じ易くなるので、前記筒状樹脂部材をポリカーボネートとポリエチレンテレフタレートを混合した樹脂で構成することにより、嵌合力を高めた状態であっても長期間クラックが発生することなく、クリップ部材の回転やガタツキを確実に抑制できる筆記具が得られる。
【００１５】
前記筒状樹脂部材を構成するポリカーボネートとポリエチレンテレフタレートを混合した樹脂は、ポリカーボネートとポリエチレンテレフタレートが９０：１０〜６０：４０、好ましくは８５：１５〜６５：３５の割合で配合されることが好ましい。
前記割合により、前述の構成においてもクラックを生じることなく筆記具としての強度を充分に満たすと共に、部材の成形性も満たすことができる。
尚、前記筒状樹脂部材は、前記樹脂組成物中に着色剤を添加したり、部材表面に転写等を施すことにより装飾性を向上させることもできる。
【００１６】
前記筆記具の形態としては、各種ペン先を筆記先端部に装着したマーキングペン、ボールペン、万年筆、シャープペン、修正ペン、固形塗料繰出式ペン、接着材収容ペン、化粧料収容ペン等の汎用の筆記具が例示できる。また、前記筆記具に収容されるインキは、水性、油性のいずれであってもよい。
特に、前記マーキングペンとしては、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内部に直接インキを収容して、弁機構により前記筆記先端部に所定量のインキを供給する構造のマーキングペンが挙げられる。
ボールペンとしては、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、ボールを先端部に装着したチップを直接又は接続部材を介して連結した軸筒にインキと逆流防止用の液栓を収容した構造、インキ収容管にインキと逆流防止用の液栓を収容したボールペンレフィルを軸筒内に収容した構造を例示できる。
【００１７】
更に、前記筆記具は、筆記先端部をキャップにより覆うキャップ式や、ノック式、回転式、スライド式等の出没機構の作動によって、軸筒内に収納される筆記先端部が軸筒開口部から突出する出没式等の形態をとる。
また、相異なる形態のペン体を装着させたり、相異なる色調のインキを導出させるペン体を装着させた両頭式の筆記具であってもよい。
前記両頭式の筆記具としては、軸筒内に仕切り壁を設け、軸筒両端部にそれぞれ直接又は中継部材を介して筆記先端部を固着してなり、前記軸筒内にそれぞれ色調の異なる水性インキを収容してなる筆記具、或いは、軸筒内に、筆記先端部が軸筒両端部に位置するように二本のレフィルを収容してなり、前記二本のレフィル内にそれぞれ色調の異なる水性インキを収容してなる筆記具を例示できる。
【実施例】
【００１８】
図１乃至図３に本発明の筆記具の実施形態を示す。
【００１９】
図１は本願構成の筆記具用キャップを示す縦断面図である。
前記筆記具用キャップは、筒状樹脂部材１と、頭冠２と、クリップ３と、ペン先シール部材４から構成される。
【００２０】
前記筒状樹脂部材１は、ポリカーボネートとポリエチレンテレフタレートを混合した樹脂組成物（ＰＣ：ＰＥＴ＝７５：２５に調製されたアロイ材からなる）の射出成形物であり、上下両端を開口し、側面にクリップ３を一体に設けたキャップ本体である。
前記筒状樹脂部材１の上端（頂部）には、頭冠２を取り付けるための取付孔（上方開口部）が設けられ、該取付孔の内周壁には、頭冠圧入時に縦方向に当接する段部と、環状の内向突起１１が設けられている。
また、前記取付孔下方には、仕切壁が形成され、該仕切壁の下方には、筆記具本体の挿着自在の挿着孔（下方開口部）が設けられている。前記仕切壁の下面には、ペン先シール部材４が圧入されている。
【００２１】
前記ペン先シール部材４は、厚肉の環状支持部と、その中央の薄肉凹状のシール部とからなり、弾性材料（例えばエチレン−プロピレンゴム）により一体に形成されている。
【００２２】
前記頭冠２は、ＡＢＳ樹脂からなる樹脂成形物であり、該頭冠の外周面には、環状の外向突起２３が一体に形成されている。そのため、筒状樹脂部材１上方の取付孔に圧入した際に、筒状樹脂部材１内壁に形成される内向突起１１と乗り越え嵌合する構成となっている。組み付けにより、前記内向突起１１と頭冠２に設けた外向突起２３とが乗り越え嵌合され、筒状樹脂部材１の上方（圧入箇所）が径方向に押圧された状態（筒状樹脂部材１の径方向外側に負荷がかかった状態）で係止される。
【００２３】
前記状態で長期間使用する場合、圧入部外面を頻繁に触るため（例えば、保管時にポケットに差し込むときや使用時にポケットから取り出すとき等）、短期間でクラックが生じ易くなるが、筒状樹脂部材をポリカーボネートとポリエチレンテレフタレートを混合した樹脂で構成することにより、前記クラックの発生を抑制できる。そのため、筆記具の外観を損なうことなく、不用意な部材の抜けやガタツキを抑制できる。
【００２４】
図２は本願構成の筆記具の一部を示す縦断面図であり、図３は図２のＡ−Ａ断面を示す図である。
前記図２で一部を示す筆記具は、筒状樹脂部材１と、頭冠２と、クリップ３と首部材からなる外装を有し、内部にペン先出没機構（後端ノック機構）を備えると共に、ボールペンレフィルを収容するノック式ボールペン形態からなる。
【００２５】
前記筒状樹脂部材１（軸筒）は、ポリカーボネートとポリエチレンテレフタレートからなる樹脂組成物（ＰＣ：ＰＥＴ＝７０：３０に調製されたアロイ材からなる）の射出成形物であり、上下両端を開口している。上端面には、頭冠２を連設すると共に、ノック操作部を頭冠２内部から外部（上方向）に突出可能にさせる孔が開口される。また、下端にはペン先を備えたレフィルを収容し、首部材を連結するために開口しており、軸筒上端より突出されるノック操作部を押圧することで、該軸筒の下方（首部材の下端）よりペン先が出没可能となるように構成される。
更に、前記筒状樹脂部材１の内面には、環状に内向突起１１が形成される。
【００２６】
前記クリップ３は、金属板を折り曲げ加工することにより得られ、玉部を備えたクリップ本体３１、基部３２、係合片となる脚部３３が一体に連設される。詳細には、前記クリップ本体３１の下端には玉部が一体に形成され、前記クリップ本体３１の上端には上下方向に延びる略円筒状の基部３２が一体に形成される。前記玉部が筒状樹脂部材１の外面と被挟持物を挟持する。更に、前記基部３２の下端には、略半円筒状の脚部３３が一体に形成される。
尚、前記クリップ本体３１は、樹脂成形物として別体で設け、基部３２に連結させた構造であってもよい。
【００２７】
前記基部３２は、略円筒状に形成され、軸方向に内孔が貫設される。前記基部３２の上端面や下端面は、軸線に対して水平としているが、外観性を高めるために傾斜した傾斜面（傾斜カット面）とすることもできる。
前記基部３２の外径は、筒状樹脂部材１の内径よりも大きく設定される。それにより、基部３２が筒状樹脂部材１の上端開口部内に挿入されることを阻止できる。前記基部３２の内径は、筒状樹脂部材１の外径よりも小さく設定される。それにより、筒状樹脂部材１の上端部が基部３２内に挿入されることを阻止できる。更に、基部３２の下端面と筒状樹脂部材１の上端面との適正な当接が可能となる。
また、前記基部３２のクリップ本体３１の反対側には、軸方向に延びる切り欠きが貫設され、前記切り欠きにより基部３２が周方向に分割される。
【００２８】
前記脚部３３は筒状樹脂部材１の上端開口部に挿入される部分であり、クリップ本体３１の反対側の部分に、基部３２の下端から下方に突出するように延設される。また、前記脚部３３は、横断面において半円弧状となり、前記脚部３３の外面と軸心との径方向の距離が、基部３２外面と軸心との径方向の距離よりも小さく設定される。更に、前記脚部３３と前記基部３２の下端との接続部分には、筒状樹脂部材１の上端面と安定した状態で当接させるための段部が設けられている。
また、前記基部３２に設けられた軸方向に延びる切り欠きは、脚部３３まで軸方向に貫通しているので、前記切り欠きにより、脚部３３が周方向に分割される。
【００２９】
前記頭冠２は、合成樹脂（例えばＰＣ樹脂）からなる成形体であり、鍔部２１と、該鍔部２１の下端から下方に突出する円筒状の取付筒部２２とが一体に連設されることにより構成されている。また、頭冠２の上端面は、ノック操作部を頭冠２内部から外部に突出可能にさせる孔が開口されている。
【００３０】
前記鍔部２１の外径は、クリップ３の基部３２の内径より大きく設定される。それにより、鍔部２１が基部３２内に挿入されることを阻止でき、鍔部２１の下端面とクリップ３の基部３２の上端面との適正な当接が可能となる。
前記クリップ３の基部３２の上端面を軸線に対して傾斜した傾斜面とした場合には、前記鍔部２１の下端面は軸線に対して傾斜した傾斜面（傾斜角度を前記基部３２の上端面の軸線に対する傾斜角度と略等しく設定する）として構成される。それにより、鍔部２１の下端面と基部３２の上端面との間に隙間が無くなり、優れた外観性を得ると同時に、鍔部２１の下端面と基部３２の上端面との安定した当接状態を得る。
【００３１】
前記取付筒部２２の下端部の外周面には、外向突起２３が形成される。前記頭冠２の取付筒部２３を筒状樹脂部材１の上端開口部に挿入（圧入）した際、前記外向突起２３と筒状樹脂部材１の内向突起１１とが乗り越え係止される。それにより、筒状樹脂部材１の上端開口部から頭冠２が脱落することを防止できる。更に、前記内向突起１１の係合面及び外向突起２３の係合面は軸線に対して略垂直面となっており、それにより、筒状樹脂部材１の上端開口部から頭冠２が抜け落ちることを確実に阻止できる。
【００３２】
前記クリップ３を取り付ける際、クリップ３の脚部３３を筒状樹脂部材１内面と頭冠２の取付筒部２２との間で径方向に挟持することで固定される（図３参照）。
具体的には、クリップ３の基部３２内部に基部３２の上端開口部より頭冠２の取付筒部２２を挿通し、クリップ３の基部３２内面と脚部３３を頭冠２の取付筒部２２外面に密接させる。そして、前記クリップ３の基部３２及び脚部３３が取付状態にある頭冠２の取付筒部２２を、筒状樹脂部材１の上端開口部に挿着し、取付筒部２２の外向突起２３と筒状樹脂部材１の内向突起１１とを乗り越え係止させる。このとき、クリップ３の基部３２の上端面が頭冠２の鍔部２１の下端面に当接されるとともにクリップ３の基部３２の下端面が筒状樹脂部材１の上端面に当接される。それにより、クリップ３の基部３２が鍔部２１の下端面と筒状樹脂部材１の上端面とで上下に挟持される。更にこのとき、前記脚部３３が、頭冠２の取付筒部２２外面と筒状樹脂部材１の上端開口部内面とで径方向に挟持される。
【００３３】
前記脚部３３を頭冠２（取付筒部２２外面）と筒状樹脂部材１（内面）とで径方向に挟持することで、筒状樹脂部材１の挟持部分が径方向に押圧された状態（筒状樹脂部材１が径方向外側に負荷がかかった状態）で係止される。
前記状態で長期間使用する場合、圧入部外面を頻繁に触るため（例えば、保管時にポケットに差し込むときや使用時にポケットから取り出すとき等）、短期間でクラックが発生し易くなるが、筒状樹脂部材１をポリカーボネートとポリエチレンテレフタレートを混合した樹脂で構成することにより、前記クラックの発生を抑制できる。そのため、筆記具の外観を損なうことなく、クリップ３の回転やガタツキを防止できる。
【図面の簡単な説明】
【００３４】
【図１】本発明の実施の形態を示す縦断面図である。
【図２】本発明の別の実施の形態を示す縦断面図である。
【図３】図２のＡ−Ａ線断面図である。
【符号の説明】
【００３５】
１  筒状樹脂部材
１１  内向突起
２  頭冠
２１  鍔部
２２  取付筒部
２３  外向突起
３  クリップ
３１  クリップ本体
３２  基部
３３  脚部
４  ペン先シール部材
【図１】
2008273021.tif 000003
【図２】
2008273021.tif 000004
【図３】
2008273021.tif 000005